(57)【要約】      （修正有）【課題】容器を開封後に再封して薬品棚や引出しに容器を収納しても、既に開封した容器か、また、ＰＴＰシートや分包、あるいはピローの残数はいくつかを、外から確認することが容易な容器を提供する。【解決手段】互いに対向する第１の板と第２の板と、互いに対向する第３の板と第４の板と、前記第１の板の第１の縁部に接続された第１の外フラップと、前記第１の板から前記第４の板の少なくとも１つの板の第２の縁部に接続され、前記第１の外フラップと互いに対向する第２の外フラップと、前記第１の板から前記第４の板の少なくとも１つの板の縁部のうち、前記第１の縁部と前記第２の縁部とは異なる縁部に接続された内フラップ１１４Ａと、を有し、前記第１の板と前記第３の板と前記第２の板と前記第４の板とは、この順で互いに接続され、内フラップ１１４Ａには、文字または図形が表示されている。【選択図】図３
0003216555.tif 000002
【実用新案登録請求の範囲】
【請求項１】
互いに対向する第１の板と第２の板と、
互いに対向する第３の板と第４の板と、
前記第１の板の第１の縁部に接続された第１の外フラップと、
前記第１の板から前記第４の板の少なくとも１つの板の第２の縁部に接続され、前記第１の外フラップと互いに対向する第２の外フラップと、
前記第１の板から前記第４の板の少なくとも１つの板の縁部のうち、前記第１の縁部と前記第２の縁部とは異なる縁部に接続された内フラップと、
を有し、
前記第１の板と前記第３の板と前記第２の板と前記第４の板とは、この順で互いに接続され、
前記内フラップには、文字または図形が表示されている、容器。
【請求項２】
前記表示は、前記内フラップの表面と裏面のどちらか一方もしくは両方に表示されている、請求項１に記載の容器。
【請求項３】
前記表示は、開封済みを認識可能な表示又は前記容器の内容物の残数を記載可能な表示の少なくとも１つの表示を含む、請求項１又は請求項２に記載の容器。
【請求項４】
前記表示は、開封済みを認識可能な表示と前記容器の内容物の残数を記載可能な表示とを含む、請求項１から請求項３のいずれか１項に記載の容器。
【請求項５】
前記容器は、医薬品用容器である、請求項１から請求項４のいずれか１項に記載の容器。
【考案の詳細な説明】
【技術分野】
【０００１】
本考案は、容器に関する。
【背景技術】
【０００２】
錠剤や散剤等の医薬品は、通常、複数のＰＴＰシートや分包、あるいはそれらを内包する袋（ピロー）をパッケージ（紙製の外部の容器）に収納し、医療機関へ運搬され、開封後、使用するＰＴＰシートや分包、あるいはピローを取り出し、残りは再封され、パッケージのまま医療棚に保管される。パッケージには、収納される医薬品の名称、収容錠数あるいは分包数等が明示されている。
【先行技術文献】
【特許文献】
【０００３】
【特許文献１】実用新案登録第３１９９７９７号公報
【特許文献２】実用新案登録第３２１２２１０号公報
【特許文献３】実用新案登録第３２０６１９９号公報
【考案の概要】
【考案が解決しようとする課題】
【０００４】
医療機関等は非常に多くの医薬品を取り扱っており、それらは常に必要時に提供されなければならず、在庫切れとなることは避けなければならない。一方、医薬品を収納するスペースには限りがあり、また医薬品には使用期限が存在することから在庫を抱えすぎることにも問題がある。
【０００５】
薬品棚や引出しに同じ医薬品を複数収納する場合に、その１つの容器を開封後に再封して収納すると、新品の容器と開封済みの容器が混在することになるが、いずれが開封済みかを収納された状態のまま確認することは困難であり、一旦手に取るなど不要な手間が生じる。
【０００６】
また、複数のＰＴＰシートや分包を直接収納する容器や、ＰＴＰシートや分包を内包する複数のピローを収納する大包装容器において、それらの容器を開封し、必要な数のＰＴＰシートや分包、あるいはピローを取り出した後に再封して収納した場合、容器に収納されているＰＴＰシートや分包、あるいはピローの残数を収納された状態のまま確認することは困難であり、適切な時期に発注ができないことがある。
【０００７】
調剤を行う際には短時間で行わなければならないため、開封済みか否か、又は、ＰＴＰシートや分包、あるいはピローの残数はいくつかを収納された状態のまま確認することが困難な容器では、開封済みの容器が複数になり、収納スペースを圧迫したり、在庫切れが発生したりするリスクがある。
【０００８】
また、先行技術文献にあるように、容器に様々な工夫をこらして、上記課題の解決が試みられてきたが、該工夫をこらした容器は特殊な形状を有するため、製造コストがかさんでしまうことになる。
【０００９】
本考案の課題の一つは、容器を開封後に再封して薬品棚や引出しに容器を収納しても、開封済みか否か、又は、ＰＴＰシートや分包、あるいはピローの残数はいくつかを、収納された状態のまま確認することが容易な容器を、製造コストをかけることなく提供することである。
【課題を解決するための手段】
【００１０】
本考案の一実施形態によれば、互いに対向する第１の板と第２の板と、互いに対向する第３の板と第４の板と、前記第１の板の第１の縁部に接続された第１の外フラップと、前記第１の板から前記第４の板の少なくとも１つの板の第２の縁部に接続され、前記第１の外フラップと互いに対向する第２の外フラップと、前記第１の板から前記第４の板の少なくとも１つの板の縁部のうち、前記第１の縁部と前記第２の縁部とは異なる縁部に接続された内フラップと、を有し、前記第１の板と前記第３の板と前記第２の板と前記第４の板とは、この順で互いに接続され、前記内フラップには、文字または図形が表示されている、容器が提供される。
【００１１】
前記表示は、前記内フラップの表面と裏面のどちらか一方もしくは両方に表示されてもよい。
【００１２】
前記表示は、開封済みを認識可能な表示又は前記容器の内容物の残数を記載可能な表示の少なくとも１つの表示を含んでもよい。
【００１３】
前記表示は、開封済みを認識可能な表示と前記容器の内容物の残数を記載可能な表示とを含んでもよい。
【００１４】
前記容器は、医薬品用容器でもよい。
【考案の効果】
【００１５】
本考案により、容器を開封後に再封して薬品棚や引出しに容器を収納しても、既に開封した容器か、また、ＰＴＰシートや分包、あるいはピローの残数はいくつかを、収納された状態のまま記載することが容易な容器を、製造コストをかけることなく提供することができる。
【図面の簡単な説明】
【００１６】
【図１】本考案の第１実施形態の容器の第１の側板から見た模式的斜視図である。
【図２】本考案の第１実施形態の容器の第１の外フラップが開いている状態で、第１の側板から見た模式的斜視図である。
【図３】本考案の第１実施形態の容器の第１の外フラップが閉じ、内フラップが外に出ている状態で、第１の側板から見た模式的斜視図である。
【図４】本考案の第１実施形態の容器を展開した紙片の表面図である。
【図５】本考案の第１実施形態の容器のうち第２の外フラップが４枚のフラップで組むタイプの容器を展開した紙片の表面図である。
【図６】本考案の第２実施形態の容器の第１の外フラップが閉じ、内フラップが外に出ている状態で、第１の側板から見た模式的斜視図である。
【図７】本考案の第２実施形態の容器を展開した紙片の表面図である。
【図８】本考案の第３実施形態の容器の第１の外フラップが閉じ、内フラップが外に出ている状態で、第１の側板から見た模式的斜視図である。
【図９】本考案の第３実施形態の容器を展開した紙片の表面図である。
【図１０】本考案の第４実施形態の容器の第１の外フラップが閉じ、内フラップが外に出ている状態で、第２の側板から見た模式的斜視図である。
【図１１】本考案の第５実施形態の容器の第１の外フラップが閉じ、内フラップが外に出ている状態で、第１の側板から見た模式的斜視図である。
【図１２】本考案の第５実施形態の容器を展開した紙片の表面図である。
【考案を実施するための形態】
【００１７】
以下、本考案の各実施形態について、図面などを参照しつつ説明する。ただし、本考案は、その要旨を逸脱しない範囲において様々な態様で実施することができ、以下に例示する実施形態の記載内容に限定して解釈されるものではない。また、以下の実施形態を基にして、当業者が適宜構成要素の追加、削除もしくは設計変更を行ったものも、本考案の要旨を備えている限り、本考案の範囲に含まれる。
【００１８】
さらに、以下に述べる実施形態によりもたらされる作用効果とは異なる他の作用効果であっても、本明細書の記載から明らかなもの、又は、当業者において容易に予測し得るものについては、当然に本考案によりもたらされるものと理解される。
【００１９】
図面は、説明をより明確にするため、実際の態様に比べ、各部の幅、厚さ、形状などについて模式的に表される場合があるが、あくまで一例であって、本考案の解釈を限定するものではない。
【００２０】
本実施形態で参照する図面において、同一部分または同様な機能を有する部分には同一の符号または類似の符号（数字の後にＡ、Ｂなどを付しただけの符号）を付し、その繰り返しの説明は省略する場合がある。また、図面の寸法比率は説明の都合上実際の比率とは異なったり、構成の一部が図面から省略されたりする場合がある。
【００２１】
本明細書において、特に断りがない限り、表面とは後述する実施形態の容器の外側になる面およびその面に接続している面をいい、裏面とは後述する実施形態の容器の内側になる面およびその面に接続している面をいう。
【００２２】
なお、容器を展開した紙片においても同様に、表面とは紙片を組み立てたときに後述する実施形態の容器の外側になる面およびその面に接続している面をいい、裏面とは後述する紙片を組み立てたときに実施形態の容器の内側になる面およびその面に接続している面をいう。
【００２３】
（第１実施形態）
図１は、本考案の第１実施形態の容器の第１の側板から見た模式的斜視図である。この図では容器１００は略直方体の形状を有するように示されている。なお、容器は、カートンともいう。
【００２４】
容器１００は、第１の外フラップ１１０、第１の側板１１４、前板１１８、を有する。例えば、容器１００は、厚紙でできた箱である。図１では図示しないが、容器１００は、第１の外フラップ１１０に対向する第２の外フラップ１１２、第１の側板１１４に対向する第２の側板１１６、及び、前板１１８に対向する背板１２０を有している。なお、この例では、第１の外フラップ１１０のみが開閉可能に構成されているが、第２の外フラップ１１２も開閉可能に構成されてもよい。
【００２５】
後述するように、容器１００は一枚の、一体となった容器を展開した紙片１００Ａ又は１００Ｂ（図４又は図５）を組み立てることで形成される。したがって、容器１００の外部構造を形成する上記構成要素は、互いに直接的又は間接的に連結されており、紙片１００Ａ又は１００Ｂ中に形成される折り目を境界として区別される。なお、紙片は、ブランクともいう。
【００２６】
容器１００の高さＨ、長さＬ、奥行きＤはそれぞれ、第１の外フラップ１１０と第２の外フラップ１１２との間の距離、第１の側板１１４と第２の側板１１６との間の距離、前板１１８と背板１２０との間の距離として定義される。この例では、Ｌが最も長く、Ｄがその次に長く、Ｈが最も短い。なお、容器１００は、ＬとＨとＤとがいずれが長くいずれが短い直方体でもよく、それぞれ等しい立方体でもよい。
【００２７】
図２は、本考案の第１実施形態の容器の第１の外フラップが開いている状態で、第１の側板から見た模式的斜視図であり、図３は、本考案の第１実施形態の容器の第１の内フラップ１１４Ａを内側に折り込まずに第１の外フラップを閉じ、第1の内フラップ１１４Ａが外に出ている状態で、第１の側板から見た模式的斜視図である。また、図４は、本考案の第１実施形態の容器を展開した紙片の表面図であり、図５は、本考案の第１実施形態の容器のうち第２の外フラップを４枚のフラップで組むタイプの容器を展開した紙片の表面図である。
【００２８】
内フラップ１１４Ａは、第１の面と第２の面とを有する。第１の面は、表面ともいい、第２の面は、裏面ともいう。上述したとおり、表面は、実施形態の容器の外側になる面およびその面に接続している面であり、裏面は、実施形態の容器の内側になる面およびその面に接続している面である。すなわち、裏面は、表面の反対側の面である。
【００２９】
第１の側板１１４の第１の外フラップ１１０側の縁部には、第１の内フラップ１１４Ａが接続されており、第２の側板１１６の第１の外フラップ１１０側の縁部には、第２の内フラップ１１６Ａが接続されている。第１の外フラップ１１０には、容器１００への差込部１１０Ａが接続されている。
【００３０】
また、第１の側板１１４の第２の外フラップ１１２側の縁部には、第１の内フラップ１１４Ｂが接続され、第２の側板１１６の第２の外フラップ１１２側の縁部には、第２の内フラップ１１６Ｂが接続される（図４）。
【００３１】
第１の内フラップ１１４Ａの表面には、文字または図形が表示されており、該文字または図形としては、開封済みであることを認識可能な表示、医薬品情報の表示又はその他の文字若しくは図形の表示がある。本実施形態においては容器１００が開封済みであることを認識可能な表示がされている。認識可能な表示としては、開封済の表示がある。この例では、第１の内フラップ１１４Ａの表面には、開封済と表示されている。なお、第２の内フラップ１１６Ａの表面にも、文字または図形が表示されていてもよい。また、第１の内フラップ１１４Ａの裏面、第２の内フラップ１１６Ａの裏面にも、文字または図形が表示されていてもよい。
【００３２】
第１の内フラップ１１４Ａを折り込まずに、第１の外フラップ１１０を閉じ、第１の内フラップ１１４Ａを外に出ている状態にすると、容器１００の外から、容器１００が開封済みであることを認識することができる。
【００３３】
容器１００を展開した紙片においては、図５のように、第２の外フラップ１１２を糊代部１１２ａと糊代部１１２ｂとを用いて支持し、第１の内フラップ１１２Ａを設けることにより容器１００を形成してもよい。
【００３４】
このように、第１の内フラップ１１４Ａは、容器１００から外に出ており、その第１の内フラップ１１４Ａの表面には、開封済と表示されている。そのため、容器１００は、開封済みか否かを外から確認することができ、そのまま薬品棚に収納すれば、収納した状態のまま確認することができる。
【００３５】
（第２実施形態）
図６は、本考案の第２実施形態の容器の第１の内フラップ２１４Ａを内側に折り込まずに、第１の外フラップを閉じ、第１の内フラップ２１４Ａが外に出ている状態で、第１の側板から見た模式的斜視図であり、図７は、本考案の第２実施形態の容器を展開した紙片の表面図である。第２実施形態によれば、容器２００は、再封した後でＰＴＰシートや分包、あるいはピローの残数はいくつかを外から確認することができる。以下、これを実現する構成のうち、第１実施形態と異なる部分を説明する。
【００３６】
第１の内フラップ２１４Ａの表面には、文字または図形が表示されており、本実施形態においては容器２００の内容物の残数を記載可能な表示がされている。例えば、内容物は、ＰＴＰシートや分包、あるいはピローである。この例では、第１の内フラップ２１４Ａの表面には、５４３２１の数字が表示され、医療従事者がＰＴＰシートや分包、あるいはピローを１つ取り出して再封するときに４を丸で囲むことにより、容器２００の内容物はもともと５個あり、残数は４個であることを表示することができる。なお、第２の内フラップ２１６Ａの表面にも、文字または図形が表示されていてもよい。また、第１の内フラップ２１４Ａの裏面、第２の内フラップ２１６Ａの裏面に、文字または図形が表示されていてもよい。
【００３７】
このように、第１の内フラップ２１４Ａは、容器２００から外に出ており、その第１の内フラップ２１４Ａには、ＰＴＰシートや分包、あるいはピローの残数を記載可能な表示がされている。そのため、容器２００は、ＰＴＰシートや分包、あるいはピローの残数がいくつかを外から確認することができ、そのまま薬品棚に収納すれば、収納した状態のまま確認することができる。
【００３８】
（第３実施形態）
図８は、本考案の第３実施形態の容器の第１の内フラップ３１４Ａを内側に折り込まずに、第１の外フラップを閉じ、第１の内フラップ３１４Ａが外に出ている状態で、第１の側板から見た模式的斜視図であり、図９は、本考案の第３実施形態の容器を展開した紙片の表面図である。第３実施形態によれば、容器３００は、開封済みか否か、及び、ＰＴＰシートや分包、あるいはピローの残数はいくつかを外から確認することができる。以下、これを実現する構成のうち、第１実施形態と異なる部分を説明する。
【００３９】
第１の内フラップ３１４Ａの表面には、文字または図形が表示されており、本実施形態においては容器３００が開封済みであることを認識可能な表示と容器３００の内容物の残数を記載可能な表示とがされている。この例では、第１の内フラップ３１４Ａの表面には、開封済と表示されている。さらに、５４３２１の数字が表示され、医療従事者がＰＴＰシートや分包、あるいはピローを１つ取り出して再封するときに４を丸で囲むなど、印を付けることにより、容器３００の内容物はもともと５個あり、残数は４個であることを表示することができる。なお、第２の内フラップ３１６Ａの表面にも、文字または図形が表示されていてもよい。また、第１の内フラップ３１４Ａの裏面、第２の内フラップ３１６Ａの裏面にも、文字または図形が表示されていてもよい。
【００４０】
このように、第１の内フラップ３１４Ａは、容器３００から外に出ており、その第１の内フラップ３１４Ａの表面には、開封済の表示とＰＴＰシートや分包、あるいはピローの残数を記載可能な表示がされている。そのため、容器３００は、既に開封した容器であり、かつ、ＰＴＰシートや分包、あるいはピローの残数がいくつかを外から確認することができ、そのまま薬品棚に収納すれば、収納した状態のまま確認することができる。
【００４１】
（第４実施形態）
図１０は、本考案の第４実施形態の容器の第１の内フラップ４１４Ａを折り込まずに、第１の外フラップが閉じ、内フラップが外に出ている状態で、第２の側板から見た模式的斜視図である。第４実施形態によれば、容器４００は、開封済みか否かを複数の方向から確認することができる。以下、これを実現する構成のうち、第１実施形態と異なる部分を説明する。
【００４２】
第１の内フラップ４１４Ａの表面と裏面には、容器４００が開封済みであることを認識可能な表示がされている。この例では、第１の内フラップ４１４Ａの表面と裏面は、それぞれ開封済と表示されている。なお、第１の内フラップ４１６Ａの表面と裏面にも、容器４００が開封済みであることを認識可能な表示がされてもよい。
【００４３】
このように、第１の内フラップ４１４Ａは、容器４００から外に出ており、その第１の内フラップ４１４Ａの表面と裏面には、それぞれ開封済と表示されている。そのため、容器４００は、開封済みか否かを複数の方向から確認することが容易である。なお、第４実施形態の第１の内フラップ４１４Ａの表面と裏面、及び／又は第１の内フラップ４１６Ａの表面と裏面には、上述した第２実施形態又は第３実施形態で説明した表示を適用することができる。
【００４４】
（第５実施形態）
図１１は、本考案の第５実施形態の容器の第１の内フラップ５１４Ａを内側に折り込まずに、第１の外フラップを閉じ、第１の内フラップ５１４Ａが外に出ている状態で、第１の側板から見た模式的斜視図であり、図１２は、本考案の第５実施形態の容器を展開した紙片の表面図である。
【００４５】
第５実施形態は、Ｈが最も長く、Ｌがその次に長く、Ｄが最も短い形態である。第１実施形態は底面である第２の外フラップ１１２、上蓋である第１の外フラップ１１０が長側面であるのに対し、第５実施形態は底面である第２の外フラップ５１２、上蓋である第１の外フラップ１１０が短側面となり、第１の内フラップ５１４Ａあるいは第２の内フラップ５１６Ａに表示がなされている。この場合も、容器５００は、開封済みか否かを外から確認することができる。なお、第５実施形態には、上述した第２実施形態から第４実施形態で説明した表示を適用することができる。
【００４６】
本考案の実施形態として説明した容器を基にして、当業者が適宜構成要素の追加、削除もしくは設計変更を行ったもの、又は、工程の追加、省略もしくは条件変更を行ったものも、本考案の要旨を備えている限り、本考案の範囲に含まれる。また、上述した各実施形態は、技術的矛盾の生じない範囲において、相互に組み合わせることが可能である。
【００４７】
また、上述した実施形態の態様によりもたらされる作用効果とは異なる他の作用効果であっても、本明細書の記載から明らかなもの、又は、当業者において容易に予測し得るものについては、当然に本考案によりもたらされるものと解される。
【符号の説明】
【００４８】
１００，２００，３００，４００，５００：容器、１００Ａ，１００Ｂ，２００Ａ，３００Ａ，５００Ａ：紙片、１１０，２１０，３１０，４１０，５１０：上板、１１０Ａ，２１０Ａ，３１０Ａ，５１０Ａ：差込部、１１２，２１２，３１２，５１２：底板、１１２Ａ：第１の内フラップ、１１２ａ，１１２ｂ：糊代部、１１４，２１４，３１４，５１４：第１の側板、１１４Ａ，２１４Ａ，３１４Ａ，４１４Ａ，５１４Ａ：第１の内フラップ、１１４Ｂ，２１４Ｂ，３１４Ｂ，５１４Ｂ：第２の内フラップ、１１６，２１６，３１６，４１６，５１６：第２の側板、１１６Ａ，２１６Ａ，３１６Ａ，５１６Ａ：第１の内フラップ、１１６Ｂ，２１６Ｂ，３１６Ｂ，５１６Ｂ：第２の内フラップ、１１６Ｃ，２１６Ｃ，３１６Ｃ：糊代部、１１８，２１８，３１８，４１８，５１８：前板、１２０，２２０，３２０，５２０：背板、５２０Ａ：糊代部
【図１】
0003216555.tif 000003
【図２】
0003216555.tif 000004
【図３】
0003216555.tif 000005
【図４】
0003216555.tif 000006
【図５】
0003216555.tif 000007
【図６】
0003216555.tif 000008
【図７】
0003216555.tif 000009
【図８】
0003216555.tif 000010
【図９】
0003216555.tif 000011
【図１０】
0003216555.tif 000012
【図１１】
0003216555.tif 000013
【図１２】
0003216555.tif 000014